(57)【要約】【課題】本発明の目的は、光沢特性を評価できる鏡面反射光分布の測定方法を提供することである。本発明により、点像の鏡面反射光分布の測定を可能とし、鏡面反射光の、点拡がり関数、変角光度および偏角光度、の測定方法および測定装置を提供する。【解決手段】点像を光源としてコリメータレンズにより平行光を生成する工程と、その平行光を試料に入射する工程と、試料に入射した平行光の鏡面反射を平行光として受光し、コリメータレンズにより結像させ点像に戻す工程と、結像点像の光量分布を測定する工程とを含む点像の鏡面反射光分布測定方法。【選択図】図２
2010276492.tif 000002
【特許請求の範囲】
【請求項１】
点像を光源としてコリメータレンズにより平行光を生成する工程と；該平行光を試料に入射する工程と；該試料に入射した該平行光の鏡面反射光を受光し、コリメータレンズにより結像させ点像に戻す工程と；該結像点像の光量分布を測定する工程と；を含む点像の鏡面反射光分布測定方法。
【請求項２】
測定された該結像点像の光量分布から該試料の変角光度および偏角光度を算出する工程を含むことを特徴とする請求項１に記載の点像の鏡面反射光分布測定方法。
【請求項３】
変角光度計を用いて試料の変角光度および偏角光度を測定する工程と；該変角光度および偏角光度から請求項１記載の点像の鏡面反射光分布測定方法により得られる該結像点像の光量分布を算出する工程と；を含む点像の鏡面反射光分布測定方法。
【請求項４】
点像を光源としてコリメータレンズにより平行光を生成する手段と；該平行光を試料に入射する手段と；該試料に入射した該平行光の鏡面反射光を受光し、コリメータレンズにより結像させ点像に戻す手段と；該結像点像の光量分布を測定する手段と；を含む点像の鏡面反射光分布測定装置。
【請求項５】
測定された該結像点像の光量分布から該試料の変角光度および偏角光度を算出する手段を含むことを特徴とする請求項４に記載の点像の鏡面反射光分布測定装置。
【発明の詳細な説明】
【技術分野】
【０００１】
本発明は、紙やプラスチック等の画質・質感に影響を与える、試料の鏡面反射光沢の特性を評価するための点像の鏡面反射光分布測定方法および測定装置に関するものである。また、試料の変角光度および偏角光度を簡易に短時間で測定する方法および装置に関するものである。
【背景技術】
【０００２】
ここでいう試料とは、紙、ＰＥＴ、ＲＣ紙（写真用支持体等の樹脂ラミネート紙）、木、プラスチック、コンクリート、布、皮、金属等の、反射画像を形成できる支持体を総称する。また、この試料にインキを部分的に、または全面に、塗布した印刷物にも適用できる。さらにこの技術は人間の皮膚や粘膜の測定にも適用可能である。ここでは試料として紙を、印刷物として紙のオフセット印刷物を例に説明する。
【０００３】
紙に入射した光は表面で反射され、内部で散乱、反射され、また、入射光の一部は吸収される。このような光の反射、散乱は、紙に発生する物理的現象である。特にグロスコート紙や写真用インクジェット用紙のような光沢の高い紙において、紙の表面で起きる鏡面反射は、人間が感じる光沢として、画質や質感といった見た目に強い影響を与える。
【０００４】
ここでいう鏡面反射とは、試料表面の法線方向から各々反対側に同じ角度で入射と受光を行う光の反射を指し、正反射とも呼ばれる。また、光沢とは、主として反射光の強さによって定められる視知覚の属性である。
【０００５】
主観的な光沢感を定量的な測定値で評価する試みが従来から行われてきた。本発明に関係する従来の主な測定値と測定方法を次に示す。しかし、これらの測定値・測定方法では人間が感じる主観的な光沢感の違いを評価できないケースが多く、新しい測定方法・評価方法が要望されている。
【０００６】
鏡面光沢を測定する方法として、ＪＩＳ  Ｚ８７４１鏡面光沢度−測定方法（非特許文献１）、ＪＩＳ  Ｐ８１４２紙及び板紙−７５度鏡面光沢度の測定方法、およびこのＰ８１４２（平行光方式）（非特許文献２）等が知られている。平行光方式の測定方法は、試料面への入射光線に平行光を用い、鏡面反射を受光しコリメータレンズで結像して光量を測定する。しかし、本発明とは異なり、光源は点像でなく、本発明に比較すると明らかに大きな「光源の開口」を有し、測定側も「受光器開口」を持つ。さらに、測定される値は、この反射光の総量として測定される。測定結果は、１つの測定値、ここでは光沢度、として算出される。一般にこれら鏡面光沢を測定する方法の受光器は、フォトセル、光電管等の光の強さを電気信号に変える光電変換を行うものが用いられる。これらは反射光量を総量として測定する方法であり、光量分布を測定しない。
【０００７】
写像性（像鮮明度）を測定する方法として、ＪＩＳ  Ｋ７３７４プラスチック−像鮮明度の測定方法（非特許文献３）が知られている。像鮮明度は、反射光の場合に写像性とも呼ばれる。この測定方法は、試料の鏡面反射光の空間周波数成分を求めるものである。この測定方法は、本発明とは異なり、光源としてスリット像を用いている。また、光源スリットの結像を受光器で測定する際に、結像面に光学くしを通過させた後の通過した光量を測定している。そして、この方法も上記の多くの光沢度計と同様に、測定される値は、クシを通過したこの反射光の総量を１つの測定値として測定しており、鏡面反射光量分布は測定できない。また、スリット像での測定方法はスリットを横断する方向の特性を測定する。後述するように、鏡面反射光の分布は方向に依存するため、写像性（像鮮明度）の測定方法では、試料の鏡面反射光の空間周波数成分においてもスリットを横断する方向の情報しか得られない。
【０００８】
変角光度を測定する装置として、変角光度計が知られている。変角光度は、入射角と受光角を任意に変えて反射光量を測定する測定方法である。例えば、ある入射角に対し、受光角を等しくした場合は鏡面反射となり、そのプラスマイナス何度かに受光角度を変えて反射光量を各々測定し、変角光度が得られる。さらに、光の入射方向に対し試料面が左右に傾く場合の角度をここでは偏角と表記する。この偏角光度の測定も知られている。これら、鏡面反射近傍の変角光度や偏角光度を測定するには、各角度条件毎の測定を複数回繰り返すことが必要となる。
【０００９】
拡散反射は、例えば、試料面法線に対する光の入射角４５度に対して試料面法線方向、つまり受光角０度の変角光度で評価されることが多い。一般に、紙のような拡散反射を起こす試料では、鏡面反射は入射角度と受光角度が試料面法線に対して各々反対側に等しい角度の前後数度で強く起こっている。それ以外の受光角度ではほとんど均等な拡散反射光が得られる。拡散反射光の測定は鏡面反射光を除いて行うため、拡散反射光の測定方法では鏡面反射光は測定できない。
【００１０】
拡散反射光に関連する測定値として白色度がある。白色度は、鏡面反射光を除く反射光の総量を測定して算出される。また、印刷物の濃度計や色彩計も拡散反射光の量を測定する方法であり、鏡面反射光の測定や評価には用いられない。
【００１１】
拡散反射のＭＴＦを測定する方法（特許文献１）は、サイン波像を基材に投影し、この像の反射光量分布を測定し、測定した反射光量分布のモジュレーションから拡散反射のＭＴＦを測定する方法である。この方法は拡散反射を目的としているが、投影と測定の位置関係を鏡面反射の条件にすることで、鏡面反射のＭＴＦを測定することができる。この方法はサイン波像を試料面上で結像するように投影する。また、反射光量測定装置は試料面上の投影したサイン波像を測定する。投影も測定も試料面に焦点を合わせた光学系（結像系）である。投影には平行光を用いることもできるが、これはまず平行光を生成し、その平行光の光路上にサイン波像チャートを設置することでサイン波像を試料に投影する方法であり、結局、試料面上にサイン波像が像として投影され測定される。この場合でも測定は試料面に焦点を合わせた光学系（結像系）である。
【００１２】
従来技術で測定できる鏡面光沢の指標としては上記の、光沢度、写像性（像鮮明度）、変角光度・偏角光度、がある。また、対比光沢度のように、鏡面反射光と拡散反射光の比で表す指標などの複合的な評価値がある。
【００１３】
紙の光沢は、例えば上記の測定値で評価している。しかし、人間の主観的な光沢感が異なる試料の違いをうまく評価できないケースが存在することが知られている。特に、光沢度は光沢感の高いケースでその差を評価できないケースが知られており、一方、写像性（像鮮明度）は光沢の低い紙のような試料の光沢感の違いを評価できないケースが多い。
【先行技術文献】
【特許文献】
【００１４】
【特許文献１】特許第３６６５１７６号拡散反射のＭＴＦを測定する方法
【非特許文献】
【００１５】
【非特許文献１】ＪＩＳ  Ｚ８７４１鏡面光沢度−測定方法
【非特許文献２】ＪＩＳ  Ｐ８１４２紙及び板紙−７５度鏡面光沢度の測定方法（平行光方式）
【非特許文献３】ＪＩＳ  Ｋ７３７４プラスチック−像鮮明度の測定方法
【発明の概要】
【発明が解決しようとする課題】
【００１６】
本発明の目的は、従来の測定方法では得られなかった光沢特性を評価できる測定方法を提供することである。このために、点像の鏡面反射光分布の測定方法および測定装置を提供するものである。本発明により変角光度および偏角光度の新しい測定方法および測定装置を提供するものである。
【課題を解決するための手段】
【００１７】
本発明者は上記に鑑み鋭意研究した結果、本発明の点像の鏡面反射光分布測定方法を発明するに至った。
【００１８】
すなわち、（１）点像を光源としてコリメータレンズにより平行光を生成する工程と、その平行光を試料に入射する工程と、試料に入射した平行光の鏡面反射光を受光し、コリメータレンズにより結像させ点像に戻す工程と、結像した点像の光量分布を測定する工程とを含む点像の鏡面反射光分布測定方法である。
【００１９】
（２）測定された結像した点像の光量分布から試料の変角光度および偏角光度を算出する工程を含むことを特徴とする上記（１）記載の点像の鏡面反射光分布測定方法である。
【００２０】
（３）変角光度計を用いて試料の変角光度および偏角光度を測定する工程と、その変角光度および偏角光度から上記（１）記載の点像の鏡面反射光分布測定方法により得られる結像点像の光量分布を算出する工程と、を含む点像の鏡面反射光分布測定方法である。
【００２１】
（４）点像を光源としてコリメータレンズにより平行光を生成する手段と、その平行光を試料に入射する手段と、試料に入射した該平行光の鏡面反射光を受光し、コリメータレンズにより結像させ点像に戻す手段と、結像した点像の光量分布を測定する手段とを含む点像の鏡面反射光分布測定装置である。
【００２２】
（５）測定された結像した点像の光量分布から試料の変角光度および偏角光度を算出する手段を含むことを特徴とする上記（４）記載の点像の鏡面反射光分布測定装置である。
【発明の効果】
【００２３】
本発明により、点像の鏡面反射光分布が測定できると、試料の客観的な鏡面反射光特性が評価でき、人間が感じる主観的な光沢感を評価する多くの指標を算出することができる。
【００２４】
本発明の点像の鏡面反射光分布から算出できる試料の客観的な反射光特性として、（１）点拡がり関数（ＰＳＦ：Ｐｏｉｎｔ  Ｓｐｒｅａｄ  Ｆｕｎｃｔｉｏｎ）、（２）変角光度・偏角光度、（３）鏡面反射光ウィーナースペクトル、（４）鏡面反射光の最大値、（５）拡散反射光値、（６）鏡面反射光分布の半値幅、等が挙げられる。さらに演算による推定として、（７）光沢度、（８）白色度、（９）写像性（像鮮明度）、（１０）変調伝達関数（ＭＴＦ：Ｍｏｄｕｌａｔｉｏｎ  Ｔｒａｎｓｆｅｒ  Ｆｕｎｃｔｉｏｎ）、が挙げられる。
【００２５】
このように、本発明の点像の鏡面反射光分布測定方法は、１回の測定で試料の鏡面反射光および光沢に関する多くの物理的測定値と光沢の評価値を導き出すことができる。
これにより、測定の効率を上げることができる。
【００２６】
点像の鏡面反射光分布から、人間が感じる主観的な光沢感を評価する指標を新たに導き出すこともできる。
【００２７】
本発明の点像の鏡面反射光分布測定方法は、人間の皮膚や粘膜の鏡面反射光分布特性を測定することが可能であり、医療や化粧品の開発において有用な情報を得ることを可能とする。
【図面の簡単な説明】
【００２８】
【図１】点像の鏡面反射光量分布測定方法の全体概略図
【図２】入射装置の構成図
【図３】受光装置の構成図
【図４】入射装置のチャートホルダの構成図
【図５】黒色ガラス板の点像の鏡面反射光量分布の測定結果
【図６】ＲＣグロスＩＪ紙の点像の鏡面反射光量分布の測定結果
【図７】グロスコート紙の点像の鏡面反射光量分布の測定結果
【図８】マットコート紙の点像の鏡面反射光量分布の測定結果
【図９】変角光度成分および偏角光度成分の測定面上の位置の測定結果
【図１０】変角光度成分および偏角光度成分の測定面上の位置の計算結果
【発明を実施するための形態】
【００２９】
以下、本発明の点像の鏡面反射光分布測定方法および装置を、図面を使って説明する。本発明の点像の鏡面反射光分布を測定する装置は、例えば、図１の様に構成される。図１は、測定する試料２の面の法線に対して、各々反対側に等しい角度で鏡面反射の関係となるように、入射装置１と受光装置３を設置するものである。試料２の法線方向を０度とすると、例えば、入射装置１は７５度、受光装置３も法線の反対側に同じ角度に設定される。この角度は任意に設定できるが、紙の光沢度測定に準拠するためには、入射装置１は７５度、受光装置３は法線の反対側に７５度の位置関係が好ましい。また、プラスチックの光沢度測定に準拠するためには、入射装置１は６０度、受光装置３は法線の反対側に６０度の位置関係が好ましい。さらに、高光沢の試料を測定するためには、入射装置１は４５度、受光装置３は法線の反対側に４５度の位置関係が好ましい。
【００３０】
入射装置１は、例えば図２に示すように光源１１、点像チャート４、および点像チャート４を支持するチャートホルダ１２、そして点像を光源として平行光を生成するコリメータレンズ１３、およびその他複数のレンズで構成することができる。
【００３１】
点像チャート４は、例えば図４に示すように点像チャート４、および点像チャート４を支持するチャートホルダ１２で構成することができる。点像チャート４は、例えば金属板に孔を開けて作成することができる。また、ガラス板に金属蒸着し、点像のみ光を透過させるように作成することができる。
【００３２】
点像チャート４の点像の直径は、光沢の低い紙で５００μｍ以下、光沢の高い紙の測定では１００μｍ以下が望ましい。プラスチックのような鏡面性の高い試料では必要に応じて点像の直径を小さくする必要がある。
【００３３】
図２に示した入射装置１は、セットした点像チャート４をコリメータレンズ１３で平行光とし、この平行光を試料２に入射させる。
【００３４】
試料２は、図１に示すようにサンプルベッド２１上にセットされる。サンプルベッド２１は試料２が透明であったり、薄いために透けたりする場合に、光を反射しないように加工されていることが望ましく、黒塗装で製作したり、試料２に接する面にライトトラップや黒のビロード等を設けることが望ましい。
【００３５】
受光装置３は、例えば図３に示すように試料２に入射した平行光の鏡面反射光を受光し、コリメータレンズ３１で結像させる。結像した点像の光量分布をカメラレンズ群３２で受光センサ３３に結像させ光量分布を測定する。受光センサ３３はＣＣＤセンサや撮像管の様なアレイ型のセンサを用いてこの光量分布を２次元（面、画像）のデータとして取り込む。受光センサ３３は装置としてＣＣＤカメラを用いることができる。
【００３６】
また、受光センサ３３はフォトセルや光電管等を用いた微小面積の点のデータを測定する光量測定器を用いる場合には、光量分布を測定するために測定位置を変えて測定する。例えば、測定位置を変える方法としては、プログラムで自動的に「微小面積の点のデータを測定する光量測定器」を可動させることができるＸＹステージを用いる。
【００３７】
測定した点像の鏡面反射光量分布は、試料の鏡面反射の点拡がり関数（ＰＳＦ）である。測定装置のレンズ（光学系）や受光センサの特性（伝達関数や歪み、非線形性）により精度は異なるため、補正することが望ましい。また、点像自身に大きさや歪みがあるため、目的の精度により補正することが望ましい。
【００３８】
測定した点像の鏡面反射光量分布から変角光度・偏角光度を求めることができる。本発明の測定方法は、試料２に点像を直接に入射しているのではなく、コリメータレンズ１３で平行光にして入射している。この平行光の大きさは光源とした点像の大きさより十分に大きい。例えば、平行光の光束の直径を５ｍｍにすると、点像の直径１００μｍに対して約５０倍となる。この平行光は、入射した試料２の各位置で反射する。鏡面性の高い鏡や黒色ガラス板を試料とすると、どの位置でも表面（法線）が等しい向きのため、鏡面反射方向も等しく、測定される結像点像はほぼ元の点像となり、その位置は測定面の中心となる。紙のように表面に微小な凹凸がある試料では、各位置の微小面が各々異なる法線角度を持っていると考えると、各微小面の法線が試料面全体の法線とは各々異なり、各微小面での鏡面反射光の方向（角度）も異なる。このため、紙のように表面が均一な鏡面ではない試料では、測定される結像点像は拡がりを持った分布となる。
【００３９】
本発明の測定方法および測定装置では、試料面が（法線が）０．５度傾くと、元の法線から見て１度変角（偏角）した場合の反射光が測定される。この変角（偏角）反射光は、測定面の中心からその角度に相当した分だけずれた位置で測定される。このように試料面の変角光度成分・偏角光度成分が測定面上の所与の位置に現れる。事前に変角・偏角毎の測定面上の位置を求めておくことで、測定された点像の鏡面反射光量分布から変角光度・偏角光度を求めることができる。
【００４０】
試料面の変角光度成分・偏角光度成分が測定面上のどの位置に対応するかは、実験または計算により求めることができる。実験的には、本発明の測定方法および測定装置で、試料面を（法線を）目的の角度だけ傾け、結像点像の位置を測定する。鏡面性の高い鏡や黒色ガラス板を試料とすると、測定される結像点像はほぼ元の点像となるため、その位置の測定は容易である。均一な試料であっても変角・偏角が大きくなると測定範囲やレンズの影響で、測定される光量は減少するため、黒色ガラス等の基準とする試料での、その測定位置の反射光量を測定しておきこれを用いて補正することができる。
【００４１】
計算的に求めるには、本測定方法および装置において、試料面上から受光する変角および偏角反射光が結像する測定面上の位置を計算で求める。これは、主に受光装置のコリメータレンズの焦点距離から計算で求めることができる。このため、変角光度計を用いて試料の変角光度および偏角光度を測定し、変角光度成分・偏角光度成分の測定面上の所与の位置に割り当てることで、本発明の測定方法および装置の点像の鏡面反射光分布を得ることも可能である。
【００４２】
本発明の測定方法および装置の点像の鏡面反射光分布は、鏡面反射光の点拡がり関数として利用できるものであり、単体の変角光度および偏角光度とは異なる。また、本発明の測定方法および装置の点像の鏡面反射光分布は、入射角度、受光角度が法線に対して共に０度でない場合には、変角成分・偏角成分が測定される位置は均等な分布にはならない。特に、入射角度、受光角度が法線に対して大きい鏡面反射条件の場合には、変角成分・偏角成分が測定される位置は変角に対して大きく、偏角では小さくなる。このため、例えば図９、図１０に示すように、７５度鏡面反射の測定では、試料の変角成分・偏角成分が等しく分布している場合でも測定される点像の鏡面反射光分布は、入射光方向（変角方向）に広く、左右方向（偏角方向）に狭い分布となる。
【００４３】
測定される点像の鏡面反射光量分布は、鏡面反射光の点拡がり関数である。鏡面反射光の点拡がり関数をフーリエ変換することで、鏡面反射光の変調伝達関数（ＭＴＦ）が得られる。
【００４４】
ここまで試料として紙を例に発明の実施の形態を示したが、この他に、本発明の方法は人間の皮膚や粘膜の測定に適用することが可能である。人間の皮膚や粘膜を測定することで、医療や診断、化粧品の開発に活用することができる。
【実施例】
【００４５】
以下、実施例によって本発明をさらに詳しく説明するが、本発明はこの実施例に限定されるものではない。
【００４６】
（実施例）
入射装置１、サンプルベッド２１、受光装置３は、中央精機株式会社の光学部品を組み合わせ、一部新たに設計して製作した。入射装置１と受光装置３の位置関係は試料面法線方向に対し各々７５度の鏡面反射条件とした。サンプルベッド２１は上下方向に移動可能である。この機構により、セットした紙サンプル、試料２、の厚さに合わせてサンプルベッド２１を上下させる。試料２をセットし、点像の平行光を入射し、受光した鏡面反射光をコリメータレンズ３１で結像させ、この光量分布をＣＣＤカメラで測定し、点像の鏡面反射光量分布を得た。
【００４７】
入射装置１の構成を図２を用いて説明する。光源１１はＬＥＤランプを用い、光ファイバーを経由して入射装置１の所定の位置に設置した。チャートホルダ１２にセットした点像チャート４の点像を光源として平行光となるようにコリメータレンズ１３を設置し作製した。光源１１の明るさは調整可能である。ここでは点像として直径１００μｍの孔を開けた薄金属板を点像として用いた。直径５０μｍ、直径２５μｍの点像も用意した。光源１１と点像の間に集光レンズを設置した。
【００４８】
受光装置３の構成を図３を用いて説明する。カメラ（受光センサ３３）は、Ａｐｏｇｅｅ社製ＣＣＤカメラＵ２６０を用いた。入射した平行光の鏡面反射光をコリメータレンズ３１で結像させ、この結像面をＣＣＤカメラで測定できるように作製した。用いたＣＣＤカメラは５１２画素×５１２画素の１６ｂｉｔ階調であり、測定した画像（光量分布）は図示しないコンピュータに転送されるようになっている。検出信号は、事前に光学反射濃度が既知のチャート、今回はＫＯＤＡＫ社グレイスケールを使用し、検出信号と反射濃度の関係から光量に換算した。この結果、検出信号は光量とほぼ線形な比例関係が得られたため、以下、光量として検出信号値で表記する。最小値が０、最大値が６５５３５である。
【００４９】
（測定実施例）
主観的光沢感の異なる代表的試料の測定結果を以下に示す。また、従来技術の測定方法による測定結果を合わせ示し、本発明の効果を示す。
【００５０】
試料として３種類の紙と標準とした黒色ガラス板、合わせて４試料の測定結果を示す。
【００５１】
試料ａは、写真用インクジェット用紙でグロス（光沢）タイプである。これはポリエチレンを紙にラミネートしたＲＣ紙をベースとしたインクジェット用紙であり、光沢の写真印画紙とほぼ同じ光沢感のある紙である。以下、ＲＣグロスＩＪ紙と表記し、ａで識別し、測定結果を図６に示す。
【００５２】
試料ｂは、印刷用コート紙でグロス（光沢）タイプである。これは顔料を塗布し光沢を上げるためにカレンダ処理した印刷用紙である。ポスターや女性月刊誌の写真ページに使用される光沢のある紙である。以下、グロスコート紙と表記し、ｂで識別し、測定結果を図７に示す。
【００５３】
試料ｃは、印刷用コート紙でマット（無光沢）タイプである。これは顔料を塗布しているが光沢があまりでないように処理した印刷用紙である。文字の多いページや光沢の少ない写真ページに使用される光沢の少ない紙である。以下、マットコート紙と表記し、ｃで識別し、測定結果を図８に示す。
【００５４】
標準とした黒色ガラス板は、屈折率１．５６７の黒色ガラスで表面は鏡面である。以下、黒色ガラス板と表記し、ｒで識別し、測定結果を図５に示す。
【００５５】
本発明の測定方法および測定装置に基づき製作した測定機で上記試料を測定した。各試料の点像の鏡面反射光量分布を図５から図８に示す。
【００５６】
図５から図８は３次元グラフで表示した図である。ｘ軸（図の左右）は０〜５００で光線方向左右の位置である。ｙ軸（図の奥行）は０〜５００で光線方向の位置である。ｚ軸（図の上下）は光量値（センサの検出信号値）であり、図５が０〜６００００、図６から図８が０〜６０００、つまり図５のみｚ軸が１０倍である。これは、黒色ガラス板の鏡面反射光量の最大値が他の試料に比較して極端に高いためである。測定光量は黒色ガラス板が約６００００になるようにまず調整し、その入射光量の条件で他の試料を測定した。
【００５７】
各試料は、主観的な光沢感が明らかに異なる。主観的な光沢感の高い試料から順に、黒色ガラス板＞ＲＣグロスＩＪ紙＞グロスコート紙＞マットコート紙である。主観的な光沢値の数量化は順位法として標準とした黒色ガラス板を５点、以下４、３、２、とした。
【００５８】
本発明の測定方法による測定結果、点像の鏡面反射光量分布（図５）は、これら試料の主観的光沢感と良く一致する傾向にあることがわかる。以下従来技術と比較するために数値化する必要があるため、ここでは鏡面反射光量分布の最大値と、半値幅の逆数を指標として示す。半値幅は分布の最大値の半値における分布の幅である。ここでは入射光線方向の幅の測定ピクセル数とした。半値幅の逆数、１／半値幅、を指標としたのは、鏡面反射光が拡がらない方が光沢感が高いと考えられるからである。なお、これらは一例であり、本発明の点像の鏡面反射光量分布からは既に述べたものを含め多くの評価が可能である。
【００５９】
（測定比較例１）
ＪＩＳ  Ｐ８１４２に則り、上記試料の光沢度を測定した。光沢度計は、株式会社村上色彩技術研究所製ＧＭ−２６ＰＲＯを使用した。７５度で測定した。
【００６０】
（測定比較例２）
ＪＩＳ  Ｋ７３７４に則り、上記試料の像鮮明度（写像性）を測定した。測定機は、スガ試験器株式会社製写像性測定器ＩＣＭ−１ＤＰを使用した。４５度、２ｍｍクシで測定した。
【００６１】
（評価値一覧）
以上の評価値をまとめて示す。
【００６２】
【表１】
2010276492.tif 000003
【００６３】
図５に黒色ガラス板の点像の鏡面反射光量分布を示す。図６から図８に試料ａ〜ｃの点像の鏡面反射光量分布を示す。紙試料に比較して、点像の鏡面反射光量分布は拡がらず元の点像チャートをほぼ再現し、かつ強い反射をしていることがわかる。
【００６４】
主観的光沢感は高い順に、黒色ガラス板＞ＲＣグロスＩＪ紙＞グロスコート紙＞マットコート紙であった。主観的評価であるが、これら試料の主観的光沢感は明らかに異なり、その大小関係は多数の観察者においても変わることはなかった。黒色ガラス板は測定した結像点像がほぼチャート点像そのものであり、点像が拡がらず光量の最大値が高い。グロスコート紙は、測定した結像点像が拡がっており、光量の最大値も下がる。マットコート紙は測定した結像点像がかなり拡がっており、光量の最大値もかなり低い。ＲＣグロスＩＪ紙は黒色ガラス板とグロスコート紙の中間であった。本発明の測定から求めた光沢評価値は、最大値を用いても、半値幅の逆数を用いても、主観的な光沢感にあった傾向を示した。
【００６５】
従来技術の評価値は、光沢度では、高光沢のＲＣグロスＩＪ紙とグロスコート紙が主観的な光沢感と数値的に逆転している。写像性では、低光沢のマットコート紙とグロスコート紙が主観的な光沢感と数値的に逆転している。これら従来技術の評価方法の、光沢度や写像性では、このように光沢感がうまく評価できないケースがあることが知られている。
【００６６】
（測定実施例２）
変角光度および偏角光度は測定結果の物理的解釈の違いであり、測定方法は同じであり、図５〜図８のグラフから読み取ることができる。試料面の変角光度成分・偏角光度成分が測定面上のどの位置に対応するかは、実験による方法または計算による方法により求めることができる。
【００６７】
本発明の測定方法および測定装置では、試料面が（法線が）１度傾くと、元の鏡面反射条件から見て２度変角（偏角）した反射光が測定される。この変角（偏角）反射光は、測定面の中心からその角度に相当した分だけずれた位置で測定される。
【００６８】
試料面の変角光度成分・偏角光度成分が測定面上のどの位置に対応するかを、実験により求めた。本測定装置において、鏡面性の高い黒色ガラス板を試料として、試料面の法線を＋−１度ずつ、つまり変角と偏角を＋−２度ずつ傾け、結像点像の位置を測定した。鏡面性の高い黒色ガラス板を試料とすると、測定される結像点像はほぼ元の点像となるため、その位置の測定は容易であった。図９に測定結果を示す。計算による求めた結果を図１０に示す。
【００６９】
図９、図１０は、図５〜図８と同じ測定面であり、ｘ軸（図の左右）は０〜５００（測定は５１１まで）で光線方向左右の位置である。ｙ軸は０〜５００（測定は５１１まで）で入射光方向の位置である。なお、ｙ軸の０は入射装置側から見て上であり、５００が下である。測定データの位置を座標（ｘ，ｙ）と表すと、中央が（２５６，２５６）である。偏角０度、変角０度の結像点像は座標（２５６，２５６）の位置で測定された。変角は、入射装置側から見て試料面の中心を軸に奥が１度下がる（手前が１度上がる）ように傾いた場合を、変角の＋２度、プラスと表し、手前が１度下がる（奥が１度上がる）ように傾いた場合を、変角の−２度、マイナス、と表すと、変角が増加（＋）すると測定位置は測定面上を下方向に移動する。変角を±２度ずつ変化させた測定点を図示した。
【００７０】
編角は、入射装置側から見て試料面の中心を軸に右が１度上がる（左が１度下がる）ように傾いた場合を、偏角の＋２度、プラスと表し、右が１度下がる（左が１度上がる）ように傾いた場合を、偏角の−２度、マイナスと表すと、偏角が増加（＋）すると測定位置は測定面上を左方向に移動する。偏角を±２度ずつ変化させた測定点を図示した。
【００７１】
変角および偏角反射光が結像する測定面上の位置は、主に受光装置のコリメータレンズの焦点距離から計算で求めることができる。図１０に計算的に求めた結果を示す。実験的に求めた結果とほとんど一致している。
【００７２】
変角および偏角反射光が結像する測定面上の位置は、測定面上で均等ではないことがわかった。例えば、７５度の鏡面反射条件では、同じ角度の変化でも、変角（ｙ軸）に対して座標の移動量が大きく、偏角（ｘ軸）で小さい。図６〜図８の紙サンプルの測定結果でも、ｘ軸方向に対して圧縮された分布が測定されている。
【００７３】
このように、変角および偏角反射光が結像する測定面上の位置が得られたため、図６から図８に示した点像の鏡面反射光分布から変角反射光度および偏角反射光度を求めた。例えば、図９を用いれば、座標（２９４，１４１）の測定値から偏角−４度、変角−４度の変角反射光度および偏角反射光度を得た。実際には１点ではなくその位置を中心としたある領域から求めることが望ましい。また、変角光度計の代用として用いるためには、事前に補正や換算係数を求めておくことが必要である。
【００７４】
さらに、試料の変角光度および偏角光度を、変角光度計（株式会社村上色彩技術研究所、ＧＣＭＳ−４）で測定した。変角光度成分・偏角光度成分の光度を測定面上の所与の位置に割り当てることで、本発明の測定方法および装置の点像の鏡面反射光分布を得た。
【００７５】
以上、本発明を実施例に基づいて説明したが、本発明はこの実施例には限定されず、種々変形可能である。
【産業上の利用可能性】
【００７６】
本発明により、試料の点像の鏡面反射光量分布を求めるための簡易で精度の高い測定方法および測定装置が提供される。この測定方法により、鏡面反射の、点拡がり関数、変角光度および偏角光度、を測定することが可能となり、印刷用紙やインキ、印刷方式の開発において有用な情報を得ることを可能とする。
【符号の説明】
【００７７】
１  入射装置
２  試料
３  受光装置
４  点像チャート
１１  光源
１２  チャートホルダ
１３  コリメータレンズ
２１  サンプルベッド
３１  コリメータレンズ
３２  カメラレンズ群
３３  受光センサ
【図１】
2010276492.tif 000004
【図２】
2010276492.tif 000005
【図３】
2010276492.tif 000006
【図４】
2010276492.tif 000007
【図５】
2010276492.tif 000008
【図６】
2010276492.tif 000009
【図７】
2010276492.tif 000010
【図８】
2010276492.tif 000011
【図９】
2010276492.tif 000012
【図１０】
2010276492.tif 000013